(57)【特許請求の範囲】
【請求項１】
弾性を有する材料によって板状に形成された板状体と、
この板状体に間隔を隔てて設けられ爪の先端縁に差し込まれ前記爪を挟持する少なくとも２以上の挟持部と、
前記板状体の両端側に設けられ前記板状体を爪に接着固定するための接着剤塗布用孔と
を備えたことを特徴とする陥入爪矯正具。  
【請求項２】
請求項１に記載の陥入爪矯正具において、
前記挟持部は、前記板状体の先端縁から前方へ向かって一体的に延長された上挟持片と、この上挟持片の先端から裏面側に屈曲され上挟持片との間に差込隙間を有する下挟持片とを含んで構成されていることを特徴とする陥入爪矯正具。
【請求項３】
請求項２に記載の陥入爪矯正具において、
前記挟持部は、前記板状体に間隔を隔てて２つ設けられ、
これら２つの挟持部は、前記板状体の先端縁から前方へ向かうに従って互いに離れる方向へ拡開されていることを特徴とする陥入爪矯正具。
【請求項４】
請求項１に記載の陥入爪矯正具において、
前記挟持部は、前記板状体の先端縁に切り起こし形成され板状体の裏面との間に差込隙間を有する切起片を含んで構成されていることを特徴とする陥入爪矯正具。
【請求項５】
請求項１〜請求項４のいずれかに記載の陥入爪矯正具において、
前記板状体の基端側には、前記板状体を爪に固定するためのテープが掛けられるテープ用止め部が設けられていることを特徴とする陥入爪矯正具。
【請求項６】
請求項１〜請求項５のいずれかに記載の陥入爪矯正具において、
前記板状体は、前記挟持部の間隔方向において任意の形状に湾曲可能に構成されていることを特徴とする陥入爪矯正具。
【請求項７】
請求項１〜請求項６のいずれかに記載の陥入爪矯正具において、
前記陥入爪矯正具は、超弾性材料または形状記憶合金材料によって形成されていることを特徴とする陥入爪矯正具。
【発明の詳細な説明】
【技術分野】
【０００１】
本発明は、陥入爪や巻き爪を矯正するための陥入爪矯正具に関する。
【背景技術】
【０００２】
陥入爪は、爪の側縁が内側に巻き込むように屈曲して軟質組織（足指の肉など）を圧迫、あるいは、軟質組織に刺さって炎症を起こす疾患であって、苦痛を与えるほか、肉芽を発生させたり、化膿させるなどの症状を引き起こすことがある。ちなみに、巻き爪とは、爪の側縁が内側に巻き込んでいる状態を呼ぶが、陥入爪の人は巻き爪になっていることが多い。
【０００３】
従来、このような巻き爪を含む陥入爪を矯正するための矯正具が提案されている。
たとえば、形状記憶合金や形状記憶樹脂を用いて形成した板状体またはテープ状体に、予め正常な爪の形状を所定温度で記憶させておき、その板状体またはテープ状体を接着剤で陥入爪に貼り付けるようにした矯正具が提案されている（特許文献１，特許文献２および特許文献３参照）。
【０００４】
しかしながら、上述した矯正具では、板状体などを爪に貼り付ける際、強力な接着剤を必要とし、接着剤の乾燥にも時間がかかり、その間ピンセットなどで抑えていなければならないなど、取り扱いが面倒である。また、接着剤が爪以外の皮膚などに付着すると、皮膚が炎症を起こしたり、剥がれるなど外傷を起こしやすいという課題がある。
【０００５】
そこで、本出願人は、先に、これらの課題を解決した陥入爪矯正具を提案した（特許文献４参照）。
これは、上下に間隔をあけて設けられその間にコ字状空間を形成する上下挟持片と、上挟持片の上部に一体的に形成された連結孔を有する連結部とから構成されている。上下挟持片のうち、上挟持片が下挟持片よりも長く形成されている。
【０００６】
使用にあたっては、上述した構造の矯正具を一対用意し、各矯正具の上下挟持片を、爪の側縁に嵌め込む。つまり、爪の側縁が露出するように、その近傍の指肉を切開し、露出した爪の側縁と指肉との間に下挟持片を差し込む。続いて、糸を、両側の矯正具の連結孔に通し、両側の矯正具が互いに接近するように糸を緊張させたのち、その両端を結ぶ。これにより、爪の両側縁に対して常時上方への引き上げ力が作用するため、陥入爪に対する矯正効果が期待できる。
【０００７】
【特許文献１】特許第２６４８７３５号公報
【特許文献２】特開平９−２５３１１０号公報
【特許文献３】特開平９−２５３１１１号公報
【特許文献４】特開２００３−１０２１８号公報
【発明の開示】
【発明が解決しようとする課題】
【０００８】
しかしながら、本出願人が先に提案した陥入爪矯正具も、更に、次のような課題が考えられる。
（ａ）爪への取り付けに際して、接着剤を用いていないので、剥離や取り替えの手間がかかることがないが、爪の側縁が露出するように、その近傍の指肉を切開し、露出した爪の側縁と指肉との間に下挟持片を差し込む必要があるので、取り付けが困難である。
（ｂ）陥入爪に矯正具が取り付けられた状態では、矯正具の連結部が爪の両側縁から上方に突出し、かつ、その両側の矯正具を結ぶ糸が爪の甲の上に露出しているため、これらが衣類、例えば、靴下などに引っ掛かりやすい。
（ｃ）陥入爪に対する矯正効果は、両側の矯正具を結ぶ糸の緊張度合いを調整しなければならないため、微調整が難しい。
【０００９】
本発明の目的は、これらの課題を解決し、爪への取り付けが簡単で、取り付けられた状態では、衣類などに引っ掛かる虞も少なく、かつ、矯正作用も適切な力で持続的に行うことが可能な陥入爪矯正具を提供することにある。
【課題を解決するための手段】
【００１０】
本発明の陥入爪矯正具は、弾性を有する材料によって板状に形成された板状体と、この板状体に間隔を隔てて設けられ爪の先端縁に差し込まれ前記爪を挟持する少なくとも２以上の挟持部と、前記板状体の両端側に設けられ前記板状体を爪に接着固定するための接着剤塗布用孔とを備えたことを特徴とする。  
ここで、板状体を形成する材料としては、弾性を有する材料であれば、どのようなものでもよい。例えば、ステンレスや樹脂などでもよく、あるいは、超弾性材料、形状記憶合金材料などでもよい。
【００１１】
この発明によれば、板状体に設けられた２以上の挟持部を、爪の先端縁に差し込むと、これらの挟持部が爪の先端を挟持するため、爪への取り付けが簡単に行え、しかも、取り外しも、爪から挟持部を引き抜くだけでよいから、取り外しも簡単にできる。
また、取り付けられた状態では、２以上の挟持部が爪の先端縁を挟持し、板状体が爪の甲に沿って取り付けられた状態であるから、衣類などに引っ掛かる虞も少ない。
また、板状体は、弾性を有する材料によって形成されているから、爪に取り付けられた状態では、２以上の挟持部によって、爪の先端縁両側が引き上げられる方向、つまり、陥入爪の両側縁が矯正される方向へ力が与えられるため、適切な力で持続的に矯正を行うことができる。
さらに、板状体の両端側には接着剤塗布用孔がそれぞれ設けられているから、この接着剤塗布用孔に接着剤を塗布して、板状体を爪に接着固定すれば、板状体の基端部分が爪の甲から浮くような現象を防ぐことができる。
なお、ここで言う陥入爪、および、以下で説明する陥入爪とは、巻き爪を含む意味である。
【００１２】
本発明の陥入爪矯正具において、前記挟持部は、前記板状体の先端縁から前方へ向かって一体的に延長された上挟持片と、この上挟持片の先端から裏面側に屈曲され上挟持片との間に差込隙間を有する下挟持片とを含んで構成されていることが好ましい。
この発明によれば、板状体の先端縁から上挟持片を前方へ向かって一体的に延長し、この上挟持片の先端から下挟持片を裏面側に屈曲することによって、挟持部を構成できるため、つまり、１枚の板材を打ち抜き加工したのち、上挟持片および下挟持片を屈曲させるだけで構成することができるから、製造が簡単である。
【００１３】
本発明の陥入爪矯正具において、前記挟持部は、前記板状体に間隔を隔てて２つ設けられ、これら２つの挟持部は、前記板状体の先端縁から前方へ向かうに従って互いに離れる方向へ拡開されていることが好ましい。
この発明によれば、２つの挟持部が、板状体の先端縁から前方へ向かうに従って互いに離れる方向へ拡開されているから、爪から外れにくい効果がある。
【００１４】
本発明の陥入爪矯正具において、前記挟持部は、前記板状体の先端縁に切り起こし形成され板状体の裏面との間に差込隙間を有する切起片を含んで構成されていることが好ましい。
この発明によれば、板状体の先端縁に、例えば、コ字状の切り込みを形成し、この切り込みに囲まれた内側部分を板状体の裏面側へ屈曲させると、挟持部を構成できるため、つまり、１枚の板材に切り込みを入れたのち、その内側部分を切り起こすだけで構成できるから、製造が簡単である。しかも、この構成では、挟持部が板状体の輪郭部分より内側に形成されるため、衣類（靴下）などに挟持部が引っ掛かる虞がより少ない。
【００１６】
本発明の陥入爪矯正具において、前記板状体の基端側には、前記板状体を爪に固定するためのテープが掛けられるテープ用止め部が設けられていることが好ましい。
この発明によれば、テープを、爪と板状体のテープ用止め部とに跨って貼り付ける、あるいは、テープを、板状体のテープ用止め部の上から指に巻けば、板状体を爪に密着固定させることができるから、板状体の基端部分が爪の甲から浮くような現象を防ぐことができる。
【００１７】
本発明の陥入爪矯正具において、前記板状体は、前記挟持部の間隔方向において任意の形状に湾曲可能に構成されていることが好ましい。
この発明によれば、板状体を挟持部の間隔方向において任意の形状に湾曲させれば、陥入爪に対して矯正する力を変化させることができる。つまり、陥入爪の曲率よりも大きな曲率に湾曲させれば、矯正力が作用するから、痛みや矯正効果を考慮して、任意の形状に湾曲させることができる。
【００１８】
本発明の陥入爪矯正具において、前記陥入爪矯正具は、超弾性材料または形状記憶合金材料によって形成されていることが好ましい。
超弾性材料によって形成すれば、超弾性材料は、弾性限が広くプラトー領域を有することから、大きな変形が可能で、しかも、変形量に拘わらず略一定の矯正力を作用させることができる。従って、患者の痛みを持続的に軽減させることができる。
形状記憶合金材料によって形成すれば、例えば、体温より僅かに高い温度（例えば、４０℃以上の温度）のAf点（形状回復温度）を有する形状記憶合金材料によって形成すれば、陥入爪の中でも特に巻き爪の変形がひどく爪の矯正に痛みを伴うものに有効である。体温以下の温度では巻き爪の形状にフィットして変形し、矯正力もきわめて小さい。しかし、お湯やドライヤーなどで陥入爪矯正具を４０℃以上に温めると、記憶した形状に回復しようとして巻き爪を矯正するから、痛みの状態に応じて逐次矯正力を作用させることができる。
【発明を実施するための最良の形態】
【００２０】
以下、本発明の実施形態を図面に基づいて説明する。
＜第１実施形態＞
図１は第１実施形態の陥入爪矯正具を陥入爪に取り付けた状態の斜視図、図２は陥入爪矯正具を示す斜視図、図３は陥入爪矯正具を示す平面図、図４は図３のIV−IV線断面図、図５は陥入爪矯正具を陥入爪に接着剤で固定した状態の斜視図、図６は陥入爪矯正具を陥入爪にテープで固定した状態の斜視図、図７は陥入爪矯正具を湾曲させた状態の斜視図である。
【００２１】
本実施形態の陥入爪矯正具１０は、図１〜図４に示すように、板状に形成された板状体１１と、この板状体１１の先端縁に間隔を隔てて設けられ陥入爪１の先端縁に差し込まれ陥入爪１を挟持する少なくとも２以上の挟持部１６とを備え、全体が弾性を有する材料（本実施形態ではばね用ステンレス板）によって一体的に形成されている。
【００２２】
板状体１１は、幅寸法（爪幅方向寸法）が爪１の幅より僅かに小さく、長さ寸法（爪長さ方向寸法）が爪１の長さの約１／３〜１／５程度の矩形平板状に形成されている。また、板状体１１の基端側には、板状体１１を陥入爪１に固定するためのテープ１４（図６参照）が掛けられるテープ用止め部１２が設けられているとともに、両端側には板状体１１を陥入爪１に接着固定するための接着剤塗布用孔１３がそれぞれ設けられている。
【００２３】
挟持部１６は、板状体１１の両端部先端縁から前方へ向かって一体的に延長された上挟持片１７と、この上挟持片１７の先端から裏面側に屈曲され上挟持片１７との間に差込隙間Ｓを有する下挟持片１８とを含んで構成されている。
下挟持片１８の長さＬは、２ｍｍ程度に形成されている。下挟持片１８の先端部は、先端縁に向かうに従って、上挟持片１７に対して次第に離れる方向へ傾斜されている。これにより、陥入爪１の先端に差し込みやすくなっている。上挟持片１７と下挟持片１８との差込隙間Ｓは、陥入爪１の厚みより小さい寸法、具体的には、０．１〜１．０ｍｍ、好ましくは、０．３〜０．５ｍｍ程度に形成されている。
【００２４】
このような構成の陥入爪矯正具１０を使用して陥入爪１を矯正するには、まず、陥入爪１の先端を指の先端より少なくとも２ｍｍ前後伸ばしてスクウェアカットすることが望ましい。陥入爪１の先端が適度に伸びた段階で、陥入爪矯正具１０を陥入爪１に取り付ける。つまり、板状体１１に設けられた２つの挟持部１６を、陥入爪１の先端縁に差し込む。すると、これらの挟持部１６の上挟持片１７と下挟持片１８とが陥入爪１の先端を挟持した状態となるので、陥入爪矯正具１０が陥入爪１に取り付けられる。従って、陥入爪１への取り付けが簡単に行え、しかも、取り外しも、陥入爪１から挟持部１６を引き抜くだけでよいから、取り外しも簡単にできる。
また、幅寸法の異なる陥入爪矯正具１０を複数用意しておけば、爪の先端が伸びるに従って順次大きい陥入爪矯正具１０に交換して、矯正力を強くしていくことができる。
【００２５】
陥入爪矯正具１０が陥入爪１に取り付けられた状態では、板状体１１および２つの挟持部１６の弾性によって、陥入爪１の先端縁両側が上方へ引き上げられる方向、つまり、陥入爪１の両側縁が平らに矯正される方向へ力が加えられるため、陥入爪１の矯正を陥入爪矯正具１０の弾性を利用した適切な力で持続的に行うことができる。
しかも、この状態においては、２つの挟持部１６が陥入爪１の先端縁を挟持し、板状体１１が陥入爪１の甲に沿って取り付けられた状態であるから、衣類（靴下）などに引っ掛かる虞も少ない。
【００２６】
また、陥入爪１の形状や巻き込み度合いによっては、板状体１１の基端部分が陥入爪１の甲から浮いた状態になる場合が考えられる。
このような場合、図５に示すように、板状体１１の両端側には接着剤塗布用孔１３がそれぞれ設けられているから、この接着剤塗布用孔１３に接着剤１５を塗布し、爪の左右に板状体１１を動かすことにより、接着剤１５が爪と板状体１１との間に毛細管現象により入り込むため、接着を容易にできる。従って、板状体１１を陥入爪１に容易に接着固定できるとともに、板状体１１の基端部分が陥入爪１の甲から浮くのを防ぐことができる。
あるいは、図６に示すように、テープ１４を、陥入爪１と板状体１１の基端側のテープ用止め部１２とに跨って貼り付ける、あるいは、テープ１４を、板状体１１のテープ用止め部１２の上から指に巻けば、板状体１１を陥入爪１に密着固定することができるから、板状体１１の基端部分が陥入爪１の甲から浮くのを防ぐことができる。
【００２７】
このようにして、陥入爪１が矯正されていくと、陥入爪１は次第に正常な形状の爪、つまり、平らに矯正される。このようになると、陥入爪１の先端縁に作用する板状体１１の弾性力も次第に弱くなる。
このような場合でも、板状体１１を幅方向（挟持部が設けられた間隔方向）において任意に形状に湾曲させれば、陥入爪１に対して矯正する力を変化させることができる。つまり、陥入爪１の曲率よりも大きな曲率に湾曲させれば、より大きな矯正力が作用するから、痛みや矯正効果を考慮して、適切な形状に湾曲させることができる。
【００２８】
上述した形状の陥入爪矯正具１０では、板状体１１の先端縁から上挟持片１７を前方へ向かって一体的に延長し、この上挟持片１７の先端から下挟持片１８を裏面側に屈曲することによって、挟持部１６を構成できるため、つまり、１枚の板材を打ち抜き加工したのち、上挟持片１７および下挟持片１８を屈曲させるだけで構成することができるから、製造が簡単にできる利点がある。
【００２９】
なお、第１実施形態では、板状体１１を平板状としたが、例えば、図７（Ａ）に示すように、陥入爪１の形状や巻き込み程度に応じて、幅方向（挟持部１６の間隔方向）に任意の形状に湾曲（あるいは屈曲）させて使用してもよい。
また、図７（Ｂ）に示すように、２つの挟持部１６を、板状体１１の先端縁から前方へ向かうに従って互いに離れる方向へ拡開されてもよい。このようにすれば、２つの挟持部１６が、板状体１１の先端縁から前方へ向かうに従って互いに離れる方向へ拡開されているから、爪１から外れにくい効果がある。
【００３０】
＜第２実施形態＞
図８は、本発明の第２実施形態の陥入爪矯正具を示す断面図、図９は図８のIX−IX線断面図である。これらの図の説明にあたって、第１実施形態と同一構成要素については、同一符号を付し、その説明を省略する。
第２実施形態の陥入爪矯正具２０は、陥入爪の先端部分形状に近似した矩形平板状の板状体２１と、この板状体２１の先端縁に切り起こし形成され板状体２１の裏面との間に差込隙間Ｓを有する挟持部としての切起片２６とを含んで構成されている。
【００３１】
板状体２１は、先端縁が陥入爪の先端形状に近似した円弧形状で全体が矩形平板状に形成されている。なお、この板状体２１にも、図示していないが、第１実施形態で述べたテープ用止め部１２や接着剤塗布用孔１３を設けてもよい。
切起片２６は、板状体２１の先端縁に、コ字状の切り込み２７を形成し、この切り込み２７に囲まれた内側部分２８を板状体２１の裏面側へ屈曲させることにより形成されている。切起片２６の長さＬ、および、切起片２６と板状体２１の裏面との間の差込隙間Ｓについては、第１実施形態を略同じである。
【００３２】
第２実施形態の陥入爪矯正具２０によれば、切起片２６を陥入爪の先端縁に差し込むことにより、第１実施形態と同様に使用できる。
とくに、１枚の板材を、板状体２１の輪郭形状に打ち抜き加工すると同時に、その先端縁にコ字状に切り込み２７を入れ、その内側部分２８を切り起こすだけで構成できるから、製造が極めて簡単にできる。しかも、この構成では、挟持部である切起片２６が板状体２１の輪郭部分より内側に形成されるため、衣類（靴下）などに切起片２６が引っ掛かる虞がより少ない。
【００３３】
＜第３実施形態＞
図１０は、本発明の第３実施形態の装飾用付け爪を示す斜視図、図１１は図１０のXI−XI線断面図である。これらの図の説明にあたって、前記各実施形態と同一構成要素については、同一符号を付し、その説明を省略する。
第３実施形態の装飾用付け爪３０は、弾性を有する材料によって輪郭形状が陥入爪に近似した形状でかつ板状に形成された板状体３１と、この板状体３１に間隔を隔てて設けられ陥入爪の先端縁に差し込まれ陥入爪を挟持する少なくとも２以上の挟持部としての切起片２６とを含んで構成されている。
【００３４】
板状体３１は、第２実施形態の板状体２１に対して、輪郭形状が異なるのみである。なお、図示していないが、板状体３１の表面（外表面）には、色彩、あるいは、模様などが付されていてもよい。または、色彩や模様が付されたシートなどを、板状体３１の表面に積層接着してもよい。このようにすれば、より意匠的効果に優れるため、装飾用付け爪としての効果をより発揮できる。
【００３５】
第３実施形態の装飾用付け爪３０によれば、上述した陥入爪矯正具１０，２０で述べた効果のほかに、装飾用付け爪３０として使うことができる。従来の付け爪の場合、接着剤を用いて爪に取り付ける必要があるため、取り付け取り外しに手間がかかるが、本発明の装飾用付け爪では、これらの問題も解消できる利点がある。
【００３６】
＜変形例＞
本発明は前述の実施形態に限定されるものではなく、本発明の目的を達成できる範囲での変形、改良等は本発明に含まれる。
前記第１実施形態では、挟持部１６を上挟持片１７と下挟持片１８とで構成し、下挟持片１８の先端部を上挟持片１７に対して次第に離れる方向へ傾斜させて、差し込みを容易にしたが、これに限られない。
たとえば、図１２および図１３に示すように、下挟持片１８の先端を内側へ巻き込んで、つまり、上挟持片１７の裏面側に巻き込んで、円弧状に構成してもよい。このようにしても、下挟持片１８の円弧形状が陥入爪１の差し込みガイドとなるので、陥入爪１への差し込みを容易に行える利点がある。なお、第２、第３実施形態の切起片２６についても、図１２，図１３の構成を適用できる。
【００３７】
前記第１実施形態では、板状体１１の基端部に板状体１１を陥入爪１に固定するためのテープ１４が掛けられるテープ用止め部１２を設けたが、これに限られない。
たとえば、図１３に示すように、板状体１１の基端部に複数本（ここでは、２本）の脚片１２Ａを爪１の長さ方向に沿って一体的に延長し、これらをテープ用止め部１２とすれば、より確実に陥入爪矯正具１０，２０を陥入爪１に密着固定できる。
【００３８】
前記各実施形態では、ステンレスを用いて陥入爪矯正具を構成したが、これに限らず、弾性を有する材料であれば、他の材料であってもよい。たとえば、樹脂などでもよく、あるいは、Ｔｉ−Ｎｉ系、鉄系、Ｃｕ系などの超弾性材料、形状記憶合金材料などでもよい。
超弾性材料によって形成すれば、超弾性材料は、弾性限が広くプラトー領域を有することから、大きな変形が可能で、しかも、変形量に拘わらず略一定の矯正力を作用させることができるから、患者の痛みを持続的に軽減させることができる。
形状記憶合金材料によって形成し、例えば、体温より僅かに高い温度（例えば、４０℃以上の温度）のAf点（形状回復温度）で、平な形状または正常な爪の形状に回復するように記憶させておけば、陥入爪の中でも特に巻き爪の変形がひどく爪の矯正に痛みを伴うものに有効である。体温以下の温度では巻き爪の形状にフィットして変形し、矯正力もきわめて小さい。しかし、お湯やドライヤーなどで陥入爪矯正具を４０℃以上に温めると、記憶した形状に回復しようとして巻き爪を矯正するから、痛みの状態に応じて逐次矯正力を作用させることができる。
また、その時は材料の相変態により矯正力も大きくなる。たとえば、少し熱めの風呂に入ったりすると、爪が柔らかくなる一方、矯正具は形状が回復して矯正が働き、更に矯正力が大きくなるから、爪に負担を掛けることが少ない状態でより高い矯正効果が期待できる。
【００３９】
前記実施形態では、単一の陥入爪矯正具や、装飾用付け爪について説明したが、適用する爪の大きさに応じて異なるサイズの複数の陥入爪矯正具や装飾用付け爪を用意しておき、これらの中から適用する（取り付ける）爪に応じて、選択的に使用するようにしてもよい。
【産業上の利用可能性】
【００４０】
本発明は、陥入爪や巻き爪を矯正するための陥入爪矯正具として利用できる。
【図面の簡単な説明】
【００４１】
【図１】本発明の第１実施形態の陥入爪矯正具を陥入爪に取り付けた状態の斜視図。
【図２】前記実施形態の陥入爪矯正具を示す斜視図。
【図３】前記実施形態の陥入爪矯正具を示す平面図。
【図４】図３のIV−IV線断面図。
【図５】前記実施形態の陥入爪矯正具を爪に接着剤で固定した状態の斜視図。
【図６】前記実施形態の陥入爪矯正具を爪にテープで固定した状態の斜視図。
【図７】前記実施形態の陥入爪矯正具の変形例を示す斜視図。
【図８】本発明の第２実施形態の陥入爪矯正具を示す斜視図。
【図９】図８のIX−IX線断面図。
【図１０】本発明の第３実施形態の装飾用付け爪を示す斜視図。
【図１１】図１０のXI−XI線断面図。
【図１２】前記実施形態の陥入爪矯正具の挟持部の変形例を示す図。
【図１３】前記実施形態の陥入爪矯正具の挟持部の変形例を示す図。
【図１４】前記実施形態の陥入爪矯正具の板状体の変形例を示す図。
【符号の説明】
【００４２】
１…陥入爪
１０，２０…陥入爪矯正具
１１，２１，３１…板状体
１２…テープ用止め部
１３…接着剤塗布用孔
１４…テープ
１５…接着剤
１６…挟持部
１７…上挟持片
１８…下挟持片
２６…切起片（挟持部）
３０…装飾用付け爪
【図１】
0004714871.tif 000002
【図２】
0004714871.tif 000003
【図３】
0004714871.tif 000004
【図４】
0004714871.tif 000005
【図５】
0004714871.tif 000006
【図６】
0004714871.tif 000007
【図７】
0004714871.tif 000008
【図８】
0004714871.tif 000009
【図９】
0004714871.tif 000010
【図１０】
0004714871.tif 000011
【図１１】
0004714871.tif 000012
【図１２】
0004714871.tif 000013
【図１３】
0004714871.tif 000014
【図１４】
0004714871.tif 000015